(57)【要約】【課題】ベゼルに磁石が内蔵されているか否かに関係なく端末に取り付け可能なカバーを提供する。【解決手段】表示部を有する端末に取り付けられた状態で、表示部を被覆可能なカバーであって、周縁領域に設けられ、端末に取り付け可能な取付部、を備え、前記取付部は、吸着性を有する吸着面を含む吸着性シートを有する。【選択図】図１
2020178308.tif 000002
【特許請求の範囲】
【請求項１】
表示部を有する端末に取り付けられた状態で、表示部を被覆可能なカバーであって、
周縁領域に設けられ、端末に取り付け可能な取付部、を備え、
前記取付部は、吸着性を有する吸着面を含む吸着性シートを有する、カバー。
【請求項２】
端末は、表示部の外縁に沿って延びるベゼルを有し、
表示部は、タッチパネルであり、
前記取付部は、長尺状に延び、
前記取付部の短手方向における幅は、前記ベゼルの延伸方向に直交する方向における幅よりも狭い、請求項１に記載のカバー。
【発明の詳細な説明】
【技術分野】
【０００１】
本発明は、タブレット、スマートフォン、携帯用ゲーム機といった端末に着脱可能なカバーであって、端末の表示部を被覆可能なカバーに関する。
【背景技術】
【０００２】
従来、タブレット等の端末に着脱可能なカバーとして、例えば、マグネット式のプライバシーフィルムが公知である（非特許文献１参照）。プライバシーフィルムは、各種情報を表示する表示部と、表示部を囲み且つ磁石が内蔵されたベゼルと、を備えるタブレットに着脱可能である。また、プライバシーフィルムは、端末の表示部を被覆する板状の本体部と、本体部の面方向における周縁領域に設けられ且つマグネットが内蔵された額縁部と、を有する。本体部は、表示部を被覆したとき、表示部の視野角を制限するフィルムで形成されている。このプライバシーフィルムは、プライバシーフィルムの額縁部をタブレットのベゼルに重ねて、ベゼルに内蔵された磁石と額縁部に内蔵されたマグネットとを磁気的に結合させることにより、本体部が表示部を被覆した状態で、タブレットに取り付けられる。これにより、タブレットの利用者以外からの表示部の覗き見を防ぐことができる。
【先行技術文献】
【非特許文献】
【０００３】
【非特許文献１】“Amazon UNIQ マグネット式プライバシーフィルム 9.7インチ/iGuard/iPad Air 2・iPad 第5世代 専用/縦画面用/IG97PFP/パテント取得済み正規品”、［平成３１年４月１２日検索］、インターネット〈URL：https://www.amazon.co.jp/マグネット式プライバシーフィルム-9-7インチ-iGuard-2・iPad-IG97PFP/dp/B075MXFPTN〉
【発明の概要】
【発明が解決しようとする課題】
【０００４】
ところで、前記プライバシーフィルムでは、ベゼルに磁石が内蔵されていない端末に対する取り付けが困難であった。
【０００５】
本発明は、ベゼルに磁石が内蔵されているか否かに関係なく端末に取り付け可能なカバーを提供することを目的とする。
【課題を解決するための手段】
【０００６】
本発明のカバーは、表示部を有する端末に取り付けられた状態で、表示部を被覆可能なカバーであって、周縁領域に設けられ、端末に取り付け可能な取付部、を備え、前記取付部は、吸着性を有する吸着面を含む吸着性シートを有する。
【０００７】
かかる構成によれば、カバーは、吸着性シートの吸着面を端末に接触させて、取付部を端末に吸着させることにより、磁石が内蔵されていない端末（例えば、ベゼルに磁石が内蔵されていない端末）に対しても取り付け可能である。
【０００８】
また、前記カバーでは、端末は、表示部の外縁に沿って延びるベゼルを有し、表示部は、タッチパネルであり、前記取付部は、長尺状に延び、前記取付部の短手方向における幅は、前記ベゼルの延伸方向に直交する方向における幅よりも狭くてもよい。
【０００９】
かかる構成によれば、取付部の長手方向とベゼルの延伸方向とを揃え、且つ、取付部の外縁とベゼルの外縁とを重ねた状態で、カバーを端末に吸着させると、表示部とベゼルとの境界が取付部より内方に離間した位置に配置されるため、この境界近傍の表示部の外縁部にカバーを介して触れやすくなり、その結果、操作性を向上できる。
【発明の効果】
【００１０】
以上より、本発明によれば、例えば、ベゼルに磁石が内蔵されていない端末に取り付け可能なカバーを提供することができる。
【図面の簡単な説明】
【００１１】
【図１】図１は、本実施形態に係るカバーの正面図である。
【図２】図２は、前記カバーの背面図である。
【図３】図３は、前記カバーの側面図である。
【図４】図４は、前記カバーの端末への取り付けを説明するための斜視図である。
【図５】図５は、端末に取り付けた前記カバーの模式図である。
【図６】図６は、図５のＶＩで示した前記カバーの取付部周辺の拡大図である。
【図７】図７は、変形例に係るカバーの正面図である。
【図８】図８は、変形例に係るカバーの正面図である。
【図９】図９は、変形例に係るカバーの正面図である。
【図１０】図１０は、変形例に係るカバーの正面図である。
【図１１】図１１は、変形例に係るカバーの正面図である。
【発明を実施するための形態】
【００１２】
以下、本発明の実施形態について、図１〜図６を参照しつつ説明する。図１〜図３に示すように、本実施形態に係るカバー１は、シート状（薄板状）である。カバー１は、図４に示すように、タブレット、スマートフォン、携帯用ゲーム機といった端末５に着脱可能である。端末５は、例えば、平面視において角が丸まった長方形状を有する板状である。本実施形態の端末５は、タブレットである。この端末５では、４辺のうち対向する一対の辺（短辺）の寸法がいずれも１７５ｍｍであり、残りの対向する一対の辺（長辺）の寸法はいずれも２５０ｍｍである。
【００１３】
端末５は、表示部６を有する。また、端末５は、表示部６の表示外縁部６０に沿って延びるベゼル７を備える。この端末５では、表示部６及びベゼル７は、いずれも端末５の前面５０側（図４における上方側）に配置されている。さらに、端末５は、前面５０と反対側（端末５の背面側、図４における下方側）に配置された本体部８を備える。
【００１４】
本体部８は、ＣＰＵ等の制御部、メモリ、バッテリー等を内蔵する部材である。また、本体部８は、例えば、平面視において矩形状をした板状である。
【００１５】
表示部６は、各種情報を表示するディスプレイであり、例えば、平面視において矩形状の液晶ディスプレイや有機ＥＬディスプレイである。また、表示部６は、静電容量方式又は抵抗膜方式等を採用したタッチパネルである。
【００１６】
ベゼル７は、例えば、表示部６を囲む矩形状の枠部材である。具体的に、ベゼル７は、表示部６の表示外縁部６０のうち短辺側に位置する一対の表示短辺部６１、及び、表示外縁部６０のうち長辺側に位置する一対の表示長辺部６２を囲むように連続して延びている。本実施形態のベゼル７には、カメラレンズ７０及びセンサ７１が配置されている。ベゼル７の幅Ｗ７（ベゼル７の延伸方向と直交する方向における幅Ｗ７）は、ベゼル７の延伸方向における全域において均一であり、例えば、８ｍｍである。
【００１７】
カバー１は、シート状（薄板状）であり、例えば、平面視において略矩形状である。本実施形態のカバー１は、周縁領域１０と、周縁領域１０に囲まれた中央領域１１と、を有する。カバー１は、周縁領域１０に設けられた取付部２、を備える（図３参照）。このカバー１は、少なくとも中央領域１１に設けられた本体部３を備える。本実施形態のカバー１は、周縁領域１０において取付部２と対向する位置に設けられた化粧部４を備える。
【００１８】
本実施形態のカバー１は、端末５と対応した形状を有する（図４参照）。また、このカバー１には、端末５に取り付けられた状態でカメラレンズ７０やセンサ７１と対応する部位（カメラレンズ７０やセンサ７１と重なる位置）に、開口１２が設けられている。カメラレンズ７０に対応する部位に開口１２が設けられていることにより、カバー１が端末５による写真の撮影の邪魔になることを防ぐことができる。同様に、センサ７１に対応する部位に開口１２が設けられていることにより、カバー１がセンサ７１の邪魔になることを防ぐことができる。
【００１９】
本体部３は、少なくとも端末５の表示部６を被覆可能な部材であり、例えば、端末５の前面５０の全体を被覆可能な部材である。本実施形態の本体部３は、中央領域１１及び周縁領域１０に連続して延びている、即ち、カバー１の広がる方向における全域（カバー１の面方向における全域）に延びている。本体部３は、シート状（薄板状）であり、例えば、平面視において四つの角部３０が丸まった長方形状を有する板状である。さらに、本体部３には、カバー１が端末５に取り付けられた状態でカメラレンズ７０やセンサ７１に対応する部位に、開口３３が設けられている。
【００２０】
以下、本体部３を平面視したとき、本体部３における開口３３が設けられる側を縦方向における一方側（図１〜図３、図５における上側）とし、本体部３における開口３３が設けられる側と反対側を縦方向における他方側（図１〜図３、図５における下側）とする。本体部３を平面視したとき、本体部３の縦方向と直交する方向を横方向（図１、図２における水平方向（左右方向））とする。さらに、本体部３の厚み方向における端末５と対向する側を正面側（図１に現れている側、図３、図５における右側）とし、本体部３の厚み方向における端末５と対向する側と反対側を背面側（図２に現れている側、図３、図５における左側）とする。
【００２１】
本実施形態の本体部３は、正面側に位置する主面である本体部第一主面３１と、背面側に位置する主面である本体部第二主面３２と、を有する（図４参照）。また、本実施形態の本体部３において、カバー１の周縁領域１０を構成する端部３４は、四つの角部３０と、縦方向において対向する一対の端部である短辺端部３４１，３４２と、横方向において対向する一対の端部である長辺端部３４３，３４４と、を有する（図１参照）。なお、一対の短辺端部３４１，３４２のうち縦方向における一方側に位置する短辺端部３４１は、開口３３が設けられていることにより、一部が欠けた形状を有する。
【００２２】
さらに、本実施形態の本体部３は、端末５の表示部６の視野角を制限するようなプレートである。このプレートの材質は、樹脂であり、例えば、ＰＥＴ（ポリエチレンテレフタラート）である。プレートの厚みは、例えば、０．４４ｍｍである。なお、プレートは、カバー１が端末５に取り付けられた状態において、利用者が端末５に触れて操作する際の違和感を抑えるべく、例えば、可撓性を有する。
【００２３】
取付部２は、端末５に取り付け可能な部材である。また、取付部２は、吸着性を有する吸着面２０を含む吸着性シートである。取付部２の吸着面２０は、図６に示すように、取付部２が端末５に取り付けられた状態において、端末５の前面５０、例えば、ベゼル７の表面７２と接触する。
【００２４】
吸着性シートは、吸着面２０に微細な窪み２００が複数設けられたシートである。また、吸着性シートは、端末５の前面５０（例えば、ベゼル７の表面７２）に接触しやすいよう可撓性を有することが好ましい。吸着性シートの厚みは、例えば、０．５５ｍｍであり、本体部３の厚みよりも厚い。具体的に、吸着性シートは、自己吸着性シート、例えば、ＥＶＥＲＳＴＩＫである。
【００２５】
本実施形態の取付部２は、長尺状に延びており、例えば、本体部３の端部３４に沿って延びている（図１参照）。また、取付部２は、本体部３の正面側に設けられており、例えば、本体部第一主面３１に接着により貼り付けられている。
【００２６】
本実施形態の取付部２は、本体部３の端部３４のうち、少なくとも本体部３の縦方向において対向する一対の短辺端部３４１，３４２の正面側（具体的に、本体部第一主面３１の一対の短辺端部３４１，３４２に対応する位置）に設けられている。また、取付部２は、本体部３の四つの角部３０の少なくとも一つの正面側、例えば、本体部３の四つの角部３０の全ての正面側（具体的に、本体部第一主面３１の角部３０に対応する位置）に設けられている。
【００２７】
この取付部２は、本体部３の角部３０の頂部３００から一辺側（例えば、短辺側（本実施形態のカバー１では横方向））に延びる部位と、角部３０の頂部３００から他辺側（例えば、長辺側（本実施形態のカバー１では縦方向））に延びる部位と、を含む。具体的に、取付部２は、本体部３の角部３０の一辺側（例えば、短辺側（本実施形態のカバー１では横方向））に位置する端縁から一辺側に延びる第一取付部位２１と、角部３０の他辺側（例えば、長辺側（本実施形態のカバー１では縦方向））の端縁から他辺側に延びる第二取付部位２２と、本体部３の角部３０に配置された第三取付部位２３を含む。
【００２８】
第一取付部位２１は、本体部３の縦方向において対向する一対の短辺端部３４１，３４２のそれぞれの全域に配置されている。第二取付部位２２は、本体部３の横方向において対向する一対の長辺端部３４３，３４４のうちそれぞれの両端部（長辺端部３４３の縦方向における両端部、及び、長辺端部３４４の縦方向における両端部）に配置されている。
【００２９】
取付部２の短手方向（延伸方向に直交する方向）における幅Ｗ２は、図４で示したベゼル７の延伸方向に直交する方向における幅Ｗ７よりも狭い。取付部２の短手方向における幅Ｗ２は、延伸方向において均一であっても不均一であってもよく、例えば、取付部２の短手方向における幅Ｗ２は、延出端に近いほど広くてもよい。
【００３０】
本実施形態の取付部２では、第一取付部位２１の短手方向における幅Ｗ２１（例えば、第一取付部位２１の縦方向における幅Ｗ２１）は、延伸方向（例えば、短辺方向）における全域（例えば、横方向における全域）において均一である（図１参照）。また、第一取付部位の幅Ｗ２１は、ベゼル７の幅Ｗ７よりも狭い。なお、第一取付部位２１の幅Ｗ２１は、例えば、５ｍｍである。
【００３１】
第二取付部位２２の延伸方向に直交する方向における幅Ｗ２２（例えば、第二取付部位２２の横方向における幅Ｗ２２）は、延伸方向（例えば、長辺方向）における少なくとも一部で不均一である。また、第二取付部位２２の幅Ｗ２２は、延伸方向における全域（例えば、縦方向における全域）において、第一取付部位２１の幅Ｗ２１よりも広い。具体的に、第二取付部位２２の幅Ｗ２２は、延出端２２０に近いほど広い。そのため、カバー１が端末５に取り付けられている場合に、カバー１の周縁部１０のうち取付部２が貼り付けられていない部分から、カバー１を取り外そうとしても、モーメント（力）の掛かる取付部２の延出端２２０周辺の粘着強度を確保できる。第二取付部位２２の延出端２２０における幅Ｗ２２０は、例えば、７ｍｍである。
【００３２】
化粧部４は、取付部２の吸着面２０の反対側に位置する背面２４を隠す部材である（図６参照）。この化粧部４は、取付部２とともに本体部３を挟む位置に配置されている。即ち、化粧部４は、本体部３の背面側に位置する面である本体部第二主面３２における取付部２と重なる位置に配置されている。換言すると、化粧部４は、カバー１の周縁領域１０に設けられている（図４参照）。
【００３３】
化粧部４の形状は、取付部２の形状と対応する形状（取付部２の形状と略同じ形状）である（図２〜図６参照）。化粧部４は、不透明な材料で形成されたシート、例えば、樹脂シート（具体的には、マイクロセルポリマーシート（ＰＯＲＯＮ））である。化粧部４の厚みは、例えば、０．５ｍｍであり、本体部３の厚みよりも厚い。
【００３４】
なお、カバー１の端末５に対する取り付けは、以下のような手順で行われる（図４参照）。
【００３５】
カバー１を端末５に取り付ける場合には、まず、取付部２の吸着面２０を端末５のベゼル７と対向する状態で、カバー１を端末５に載置する。このとき、カバー１は、取付部２の外縁２５が、取付部２の厚み方向において、ベゼル７の外縁７３と一致するように配置される。このように取付部２が配置されるとともに、取付部２の幅Ｗ２がベゼル７の幅Ｗ７よりも狭いことから、取付部２の内縁２６が、ベゼル７の幅方向（ベゼル７の延伸方向と直交する方向）における途中に位置することになる（図６参照）。
【００３６】
次に、カバー１の取付部２が設けられた領域（周縁領域１０）を押さえる。具体的に、カバー１の背面側からカバー１の周縁領域１０を押さえる、即ち、カバー１の周縁領域１０（本実施形態のカバー１では、化粧部４）を、カバー１の厚み方向において取付部２に押し付ける。これにより、取付部２の吸着面２０が端末５の前面５０（例えば、ベゼル７の表面７２）に接触して、吸着面２０の窪み２００が吸盤として機能することで、吸着シートの吸着性により、取付部２が端末５（例えば、ベゼル７）に取り付けられる。
【００３７】
なお、本実施形態のカバー１では、本体部３が可撓性を有するプレートであり、取付部２が可撓性を有するシートであるため、カバー１が取り付けられた端末５を操作する際に、指がカバー１を介して表示部６を押さえると、本体部３と表示部６とは接触する。例えば、指がカバー１を介して表示外縁部６０を押さえると、本体部３と表示外縁部６０とは接触する。このとき、取付部２の内側の部位（取付部２の内縁２６側の部位）は、本体部３の端部３４に押し潰されることにより変形可能である。
【００３８】
以上のカバー１は、取付部２（吸着性シート）の吸着面２０を端末５に接触させて、取付部２を端末５に吸着させることにより、磁石が内蔵される端末（磁石が含まれる端末）だけでなく、磁石が内蔵されていない端末（例えば、ベゼルに磁石が内蔵されていない端末）に対しても取り付け可能である。しかも、接着剤を用いずに取付部２を端末５に取り付け可能であるため、カバー１を端末５から取り外しても、端末５に接着剤が残ることが無い。また、カバー１を端末５から取り外しても、カバー１や端末５に接着剤が残らないため、カバー１の取付部２や端末５にほこりなどの異物が付着しにくい。
【００３９】
本実施形態のカバー１では、取付部２の長手方向（取付部２の延伸方向）とベゼル７の延伸方向とを揃え、且つ、取付部２の外縁２５とベゼル７の外縁７３とを重ねた状態で、カバー１を端末５に吸着させると、端末５における表示部６とベゼル７との境界αが取付部２より内方に離間した位置に配置される、即ち、表示部６の表示外縁部６０が取付部２の内縁２６から内方に離間した位置に配置されるため、端末５の利用者が境界α近傍の表示部６の表示外縁部６０にカバー１を介して触れやすくなり、その結果、操作性を向上できる。
【００４０】
また、本実施形態のカバー１では、取付部２は、平面視において略矩形状を有する本体部３の対向する一対の辺（例えば、縦方向において対向する一対の短辺端部３４１，３４２）に配置されているため（図１参照）、カバー１の両端部（例えば、縦方向において対向する一対の短辺端部３４１，３４２）を端末５に安定的に固定できる。
【００４１】
さらに、本実施形態のカバー１では、取付部２は、角部３０の頂部３００から短辺方向（例えば、横方向）へ延び、且つ、頂部３００から長辺方向（例えば、縦方向）にも延びているため、カバー１が、短辺方向及び長辺方向（例えば、縦方向及び横方向の両方）においてずれにくい。
【００４２】
なお、本発明のカバーは、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４３】
取付部２の形状は、上記実施形態の取付部２の形状に限定されず、カバー１の周縁領域１０に取り付け可能であれば問わない。
【００４４】
例えば、取付部２は、図７に示すように、本体部３の角部３０に配置されていなくてもよい。具体的に、取付部２は、角部３０の一辺側（例えば、短辺側（このカバー１では横方向））の端縁から一辺側に延びる第一取付部位２１のみで構成されてもよい。
【００４５】
また、取付部２は、図８に示すように、本体部３の角部３０のみに配置されてもよい。具体的に、取付部２は、角部３０に配置される第三取付部位２３のみで構成されてもよい。この場合、カバー１を端末５に取り付けた状態において、端末５（図４参照）の表示部６の表示外縁部６０の一対の表示短辺部６１や一対の表示長辺部６２の角部以外の部分に、取付部２が配置されないため、利用者が端末５をさらに操作しやすい。
【００４６】
さらに、取付部２は、図９に示すように、本体部３の端部３４のうち一辺、例えば、縦方向に対向する一対の短辺端部３４１，３４２のうち一方の短辺端部３４１のみに配置されてもよい。具体的に、取付部２は、一つの第一取付部位２１と、この第一取付部位２１の長手方向（延伸方向）における両端部から延びる一対の第三取付部位２３とで構成されてもよい。この場合、カバー１を端末５に取り付けた状態において、端末５（図４参照）の表示部６の表示外縁部６０のうち三辺（例えば、一対の表示短辺部６１のうち縦方向における他方側に位置する表示短辺部６１、及び、一対の表示長辺部６２）の周辺に取付部２が配置されないため、利用者が端末５をさらに操作しやすい。また、この場合、カバー１を端末５に取り付ける際に、取付部２とベゼル７との位置合わせを、ベゼル７の一辺（例えば、一つの短辺）での位置合わせにより行うことができるため、カバー１の端末５への取り付けが容易である。
【００４７】
取付部２は、図１０に示すように、本体部３の端部３４の延伸方向における全域に設けられてもよい。具体的に、取付部２は、それぞれ本体部３の縦方向に対向する一対の短辺端部３４１，３４２の横方向における全域に延びる一対の第一取付部位２１と、それぞれ本体部３の横方向に対向する一対の長辺端部３４３，３４４の縦方向における全域に延びる一対の第二取付部位２２と、四つの第三取付部位２３とで構成されてもよい。このとき、第一取付部位２１、第二取付部位２２、及び、第三取付部位２３は、カバー１の周縁領域１０の全域（開口１２を除く）に連続して延びる。この場合、カバー１の周縁領域１０の延伸方向における全域が端末５に吸着するため、カバー１が端末５に対してさらにずれにくくなる。
【００４８】
なお、取付部２は、図１１に示すように、本体部３にドット状に設けられてもよい。具体的に、取付部２は、本体部３の縦方向において対向する短辺端部３４１，３４２（例えば、一対の短辺）に、互いに間隔をあけた状態でドット状に配置されてもよい。この場合、取付部２が本体部３の端部３４に間欠的に配置されるため、カバー１の軽量化を図ることができる。
【００４９】
このような取付部２であっても、カバー１は、取付部２（吸着性シート）の吸着面２０を端末５に接触させて、取付部２を端末５に吸着させることにより、磁石が内蔵される端末だけでなく、磁石が内蔵されていない端末（例えば、ベゼルに磁石が内蔵されていない端末）に対しても取り付け可能である。なお、取付部２は、端末５におけるベゼル７以外の部材、例えば、表示部６の表示外縁部６０の一部の領域に取り付け可能であってもよい。
【００５０】
上記実施形態の本体部３は、周縁領域１０及び中央領域１１に連続して延びていたが、例えば、カバー１の周縁領域１０を除く領域のみ（このカバー１では、中央領域１１のみ）に延びていてもよい。
【００５１】
上記実施形態のカバー１は、化粧部４を備えていたが、化粧部４を備えなくてもよい。この場合、例えば、本体部３における取付部２と対応する領域に、模様や着色を施すことが考えられる。また、一対の取付部２により本体部３を挟むことも考えられ、この場合、一対の取付部２の吸着面２０がいずれも本体部３と反対側に配置されることが考えられる。このようなカバー１においても、取付部２の吸着面２０の背面２４を隠すことができる。
【００５２】
上記実施形態のカバー１には、端末５のカメラレンズ７０やセンサ７１と対応する位置に開口１２が設けられていたが、端末５がスピーカーやボタンのような操作部を有する場合、スピーカーや操作部の邪魔にならないよう、これらと対応する位置に開口が設けられてもよい。
【００５３】
上記実施形態の本体部３は、端末５の表示部６の視野角を制限するフィルターであったが、表示部６から出射されるブルーライトを低減するプレート、表示部６の表面における光の反射を抑えるプレート、表示部６を衝撃や汚れから保護する保護プレート等であってもよい。なお、カバー１として、このようなフィルターの代わりに、ガラス板等の他の薄板状の部材を用いてもよい。
【符号の説明】
【００５４】
１…カバー、２…取付部、３…本体部、４…化粧部、５…端末、６…表示部、７…ベゼル、８…本体部、１０…周縁領域、１１…中央領域、１２…開口、２０…吸着面、２１…第一取付部位、２２…第二取付部位、２３…第三取付部位、２４…背面、２５…外縁、２６…内縁、３０…角部、３１…本体部第一主面、３２…本体部第二主面、３３…開口、３４…端部、５０…前面、６０…表示外縁部、６１…表示短辺部、６２…表示長辺部、７０…カメラレンズ、７１…センサ、７２…表面、７３…外縁、２００…窪み、２２０…延出端、３００…頂部、３４１，３４２…短辺端部、３４３，３４４…長辺端部、Ｗ２、Ｗ２１、Ｗ２２、Ｗ７…幅、α…境界
【図１】
2020178308.tif 000003
【図２】
2020178308.tif 000004
【図３】
2020178308.tif 000005
【図４】
2020178308.tif 000006
【図５】
2020178308.tif 000007
【図６】
2020178308.tif 000008
【図７】
2020178308.tif 000009
【図８】
2020178308.tif 000010
【図９】
2020178308.tif 000011
【図１０】
2020178308.tif 000012
【図１１】
2020178308.tif 000013